(57)【要約】【課題】比較的安価であって、かつ、小型化が可能な光ピックアップ装置を提供する。【解決手段】記録密度の異なる２種類の光ディスクに対して情報の再生および記録のうちの少くとも再生を行うことが可能な光ピックアップ装置であって、第１および第２の半導体レーザ（ＬＤ−ＤＶＤ、ＬＤ−ＣＤ）と、ビームスプリッタ（Ｐ−ＢＳＰ）と、フロントモニタ（ＦＭＰＤ）とを有している。ビームスプリッタ（Ｐ−ＢＳＰ）は、板状を呈し、その一方の外側板面である第１の面（Ｓ１１）と、該第１の面（Ｓ１１）の内側面である第２の面（Ｓ１２）とを備えている。第１および前記第２の面（Ｓ１１、Ｓ１２）は、入射光の一部を反射して残部を透過するための光学膜が形成されている。第１の面（Ｓ１１）は、第１のレーザ光を、第１の反射光と第１の透過光とに所定の強度割合で分離するものである。第２の面（Ｓ１２）は、第２のレーザ光を、第２の反射光と第２の透過光とに所定の強度割合で分離するものである。【選択図】      図２
2004310853.tif 000002
【特許請求の範囲】
【請求項１】
記録密度の異なる２種類の光ディスクに対して情報の再生および記録のうちの少くとも再生を行うことが可能な光ピックアップ装置であって、互いに異なる第１および第２の波長を持つ第１および第２のレーザ光をそれぞれ出射する第１および第２の半導体レーザと、第１および第２のレーザ光それぞれについて、反射光と透過光とに所定の強度割合で分離するビームスプリッタと、前記ビームスプリッタによって分離された強度の弱い方のレーザ光を受光してレーザ光の出力をモニタするフロントモニタとを有する光ピックアップ装置において、
前記ビームスプリッタは、板状を呈し、その一方の外側板面である第１の面と、該第１の面の内側面である第２の面とを備えており、
前記第１および前記第２の面は、入射光の一部を反射して残部を透過するための光学膜が形成されており、
前記第１の面は、第１のレーザ光を、第１の反射光と第１の透過光とに所定の強度割合で分離するものであり、
前記第２の面は、第２のレーザ光を、第２の反射光と第２の透過光とに所定の強度割合で分離するものであることを特徴とする光ピックアップ装置。
【請求項２】
前記ビームスプリッタは、その他方の外側板面である第３の面と、該第３の面の内側面である第４の面とを備えており、
前記第１および前記第２の面と前記第３および前記第４の面とは、相互に平行をなしており、
前記第３および前記第４の面は、光学膜が形成されておらず、それぞれ入射光を所定の角度で屈折するものである請求項１に記載の光ピックアップ装置。
【請求項３】
前記第１の半導体レーザは、ＤＶＤ用の第１の波長を持つ第１のレーザ光を出射するものであり、前記第２の半導体レーザは、ＣＤ用の第２の波長を持つ第２のレーザ光を出射するものである請求項１または２に記載の光ピックアップ装置。
【請求項４】
前記第１の面による第１の反射光と第１の透過光との強度割合は、前記第３の面による第２の透過光と第２の反射光との強度割合に等しい請求項１乃至３のいずれかに記載の光ピックアップ装置。
【請求項５】
前記ビームスプリッタは、無偏光型である請求項１乃至４のいずれかに記載の光ピックアップ装置。
【請求項６】
前記ビームスプリッタは、偏光型であり、前記光ピックアップ装置は、波長板をさらに有する請求項１乃至４のいずれかに記載の光ピックアップ装置。
【発明の詳細な説明】
【０００１】
【発明の属する技術分野】
本発明は、ＣＤ、ＣＤ−ＲＯＭ、ＣＤ−Ｒ、およびＣＤ−ＲＷ等とＤＶＤ−ＲＯＭ、ＤＶＤ−Ｒ、ＤＶＤ−ＲＷ、ＤＶＤ＋Ｒ、ＤＶＤ＋ＲＷ、およびＤＶＤ−ＲＡＭの少くともいずれか等との組み合わせなど、記録密度の異なる２種類の光ディスクに対して情報の再生および記録のうちの少くとも再生を行う光ディスクドライブに用いられる光ピックアップ装置に関する。このような光ピックアップ装置は、互いに波長の異なる２種類のレーザ光を使い分けて光学的記録媒体（光ディスク）に対する記録・再生を行なうので、２波長対応光ピックアップ装置とも呼ばれる。
【０００２】
【従来の技術】
記録密度の異なる２種類の光ディスクとしては、例えば、ＤＶＤ（ディジタルビデオディスク）とＣＤ（コンパクトディスク）との組み合せからなるものや、ＤＶＤとＢｌｕｅ−ｒａｙとの組み合せからなるもの、また、その他組み合わせなどが考えられる。ここでは、ＤＶＤとＣＤとの組み合わせからなるものについて説明するが、ＤＶＤとＢｌｕｅ−ｒａｙとの組み合せからなるものにも同様に適用させるのは言うまでもない。
【０００３】
周知のように、ＤＶＤプレーヤにおいては、ＤＶＤとＣＤとのいずれに対しても記録・再生可能にするために特別の光ピックアップ装置が搭載されたものが存在している。そのような特別の光ピックアップ装置は、ＤＶＤ用の短波長レーザ光（波長約６５０ｎｍ）とＣＤ用の長波長レーザ光（波長約７８０ｎｍ）との２種類のレーザ光を使い分けて記録・再生を行なうものであり、２波長対応光ピックアップ装置と呼ばれている。
【０００４】
この種の２波長対応光ピックアップ装置は、ＤＶＤ用の短波長レーザ光を出射するためのＤＶＤ用の半導体レーザと、ＣＤ用の長波長レーザ光を出射するためのＣＤ用の半導体レーザとを備えている。
【０００５】
以下、図１を参照して、従来の２波長対応光ピックアップ装置について説明する。
【０００６】
図１は、２波長対応光ピックアップ装置の光学系のシステム構成図（光路図）であり、特に、パワーモニタ構成のみを示している。
【０００７】
図１を参照して、この光ピックアップ装置は、記録密度の異なる２種類の光ディスク、即ち、ＤＶＤ（ディジタル・バーサタィル・ディスク）とＣＤ（コンパクト・ディスク）との両方に対応した２波長対応光ピックアップ装置であり、ＤＶＤ用の短波長レーザ光（波長約６５０ｎｍ）とＣＤ用の長波長レーザ光（波長約７８０ｎｍ）との２種類のレーザ光を使い分けて記録・再生を行うものである。
【０００８】
この光ピックアップ装置は、第１の波長を持つ第１のレーザ光を出射するＤＶＤ用の第１の半導体レーザＬＤ−ＤＶＤと、第１の波長とは異なる第２の波長を持つ第２のレーザ光を出射するＣＤ用の第２の半導体レーザＬＤ−ＣＤと、第１のビームスプリッタ（図示せず）と、第２のビームスプリッタＣ−ＢＳＰと、広帯域１／４波長板ＱＷＰと、立ち上げミラー（図示せず）と、対物レンズ（ＯＬ、図示せず）と、受光素子（光検出器、図示せず）と、フォワードセンサＦＭＰＤとを有している。これらの光学系部品は、図示しない光学ベースに保持されている。
【０００９】
次に、この装置の動作を説明する。
【００１０】
まず、ＤＶＤモードでは、第１の半導体レーザＬＤ−ＤＶＤから出射された１本のレーザ光は、図示しない第１の回折格子で３本のレーザ光に分離され、さらに平行光にされて進む。
【００１１】
ここで、第２のビームスプリッタＣ−ＢＳＰは、キューブ状を呈し、内部の第１の４５度面Ｓ１に所定の角度で入射したレーザ光（第１の入射光）を第１の反射光と第１の透過光とに一定割合で分離する。例えば、第２のビームスプリッタＣ−ＢＳＰは、第１の４５度面Ｓ１に入射したレーザ光（第１の入射光）の８０％を第１の反射光として反射する一方、第１の入射光の２０％を第１の透過光として透過するように構成されている。
【００１２】
ＤＶＤ用のレーザ光は、平行光にされてから第２のビームスプリッタＣ−ＢＳＰで反射され（第１の反射光）、広帯域１／４波長板ＱＷＰを経た後、立ち上げミラーの反射面で反射されて、対物レンズを介してＤＶＤである光ディスクの信号記録面に集光（照射）される。
【００１３】
フォワードセンサＦＭＰＤは、第２のビームスプリッタＣ−ＢＳＰを透過したレーザ光（第１の透過光）の光量をモニタする。
【００１４】
ＤＶＤである光ディスクの信号記録面からの反射光（戻り光）は、対物レンズを通過し、立ち上げミラーの反射面で反射されて進み、広帯域１／４波長板ＱＷＰ、第２のビームスプリッタＣ−ＢＳＰ、および第１のビームスプリッタ等を経て、光検出器で検出され、電気信号化される。
【００１５】
ここで、第２のビームスプリッタＣ−ＢＳＰはさらに、内部の第２の４５度面Ｓ２に所定の角度で入射したレーザ光（第２の入射光）を第２の反射光と第２の透過光とに一定割合で分離する。例えば、第２のビームスプリッタＣ−ＢＳＰは、第２の４５度面Ｓ２に入射したレーザ光（第２の入射光）の８０％を第２の透過光として透過する一方、第２の入射光の２０％を第２の反射光として反射するように構成されている。
【００１６】
さて、ＣＤモードでは、第２の半導体レーザＬＤ−ＣＤから出射された１本のレーザ光は、図示しない第２の回折格子で３本のレーザ光に分離され、さらに平行光にされた後に、第１のビームスプリッタで折り曲げられて進む。
【００１７】
ＣＤ用のレーザ光は、平行光にされてから第２のビームスプリッタＣ−ＢＳＰを透過し（第２の透過光）、広帯域１／４波長板ＱＷＰを経た後、立ち上げミラーの反射面で反射されて進み、対物レンズを介してＣＤである光ディスクの信号記録面に集光（照射）される。
【００１８】
フォワードセンサＦＭＰＤは、第２のビームスプリッタＣ−ＢＳＰを反射したレーザ光（第２の反射光）の光量をモニタする。
【００１９】
ＣＤである光ディスクの信号記録面からの反射光（戻り光）は、対物レンズを通過し、立ち上げミラーの反射面で反射されて進み、広帯域１／４波長板ＱＷＰ、第２のビームスプリッタＣ−ＢＳＰ、および第１のビームスプリッタ等を経て、光検出器で検出され、電気信号化される。
【００２０】
この種の光ピックアップ装置は、例えば、特開２００２−３３４４７７に開示されている。
【００２１】
【特許文献１】
特開２００２−３３４４７７号公報
【００２２】
【発明が解決しようとする課題】
しかし、図１に示した例をも含め、従来の光ピックアップ装置では、第２のビームスプリッタとしてキューブ型のビームスプリッタを有しているが、このようなビームスプリッタは比較的高価であるため、装置全体も比較的高価なものとなってしまう。また、装置の小型化に対して不利でもある。
【００２３】
それ故、本発明の技術的課題は、比較的安価であって、かつ、小型化が可能な光ピックアップ装置を提供することである。
【００２４】
【課題を解決するための手段】
本発明によれば、記録密度の異なる２種類の光ディスクに対して情報の再生および記録のうちの少くとも再生を行うことが可能な光ピックアップ装置であって、互いに異なる第１および第２の波長を持つ第１および第２のレーザ光をそれぞれ出射する第１および第２の半導体レーザ（ＬＤ−ＤＶＤ、ＬＤ−ＣＤ）と、第１および第２のレーザ光それぞれについて、反射光と透過光とに所定の強度割合で分離するビームスプリッタ（Ｐ−ＢＳＰ）と、前記ビームスプリッタ（Ｐ−ＢＳＰ）によって分離された強度の弱い方のレーザ光を受光してレーザ光の出力をモニタするフロントモニタ（ＦＭＰＤ）とを有する光ピックアップ装置において、前記ビームスプリッタ（Ｐ−ＢＳＰ）は、板状を呈し、その一方の外側板面である第１の面（Ｓ１１）と、該第１の面（Ｓ１１）の内側面である第２の面（Ｓ１２）とを備えており、前記第１および前記第２の面（Ｓ１１、Ｓ１２）は、入射光の一部を反射して残部を透過するための光学膜が形成されており、前記第１の面（Ｓ１１）は、第１のレーザ光を、第１の反射光と第１の透過光とに所定の強度割合で分離するものであり、前記第２の面（Ｓ１２）は、第２のレーザ光を、第２の反射光と第２の透過光とに所定の強度割合で分離するものであることを特徴とする光ピックアップ装置が得られる。
【００２５】
本発明によればまた、前記ビームスプリッタは、その他方の外側板面である第３の面（Ｓ１３）と、該第３の面（Ｓ１３）の内側面である第４の面第１の面（Ｓ１４）とを備えており、前記第１および前記第２の面（Ｓ１１、Ｓ１２）と前記第３および前記第４の面（Ｓ１３、Ｓ１４）とは、相互に平行をなしており、前記第３および前記第４の面（Ｓ１３、Ｓ１４）は、光学膜が形成されておらず、それぞれ入射光を所定の角度で屈折するものである前記光ピックアップ装置が得られる。
【００２６】
本発明によればさらに、前記第１の半導体レーザ（ＬＤ−ＤＶＤ）は、ＤＶＤ用の第１の波長を持つ第１のレーザ光を出射するものであり、前記第２の半導体レーザ（ＬＤ−ＣＤ）は、ＣＤ用の第２の波長を持つ第２のレーザ光を出射するものである前記光ピックアップ装置が得られる。
【００２７】
また、本発明によれば、前記第１の面（Ｓ１１）による第１の反射光と第１の透過光との強度割合は、前記第３の面（Ｓ１３）による第２の透過光と第２の反射光との強度割合に等しい前記光ピックアップ装置が得られる。
【００２８】
さらに、本発明によれば、前記ビームスプリッタ（Ｐ−ＢＳＰ）は、無偏光型である前記光ピックアップ装置が得られる。
【００２９】
本発明によればまた、前記ビームスプリッタは、偏光型であり、前記光ピックアップ装置は、波長板をさらに有する前記光ピックアップ装置が得られる。
【００３０】
尚、上記括弧内の参照符号は、本発明の理解を容易にするために付したものであり、一例に過ぎず、これらに限定されないことは、勿論である。
【００３１】
【発明の実施の形態】
以下、本発明の実施の形態について図面を参照して説明する。
【００３２】
図２は、本発明の実施の形態による光ピックアップ装置の光学系のシステム構成図（光路図）である。尚、図２においては、実際には三次元的に配置されている各光学部品を、二次元的に示している。
【００３３】
図２を参照して、本光ピックアップ装置は、記録密度の異なる２種類の光ディスク、即ち、ＤＶＤ（ディジタルバサタイルディスク）とＣＤ（コンパクトディスク）との両方に対応した２波長対応光ピックアップ装置であり、ＤＶＤ用の短波長レーザ光（波長約６５０ｎｍ）とＣＤ用の長波長レーザ光（波長約７８０ｎｍ）との２種類のレーザ光を使い分けて記録・再生を行うものである。
【００３４】
本光ピックアップ装置は、従来の光ピックアップと同様に、第１の波長を持つ第１のレーザ光を出射するＤＶＤ用の第１の半導体レーザＬＤ−ＤＶＤと、第１の波長とは異なる第２の波長を持つ第２のレーザ光を出射するＣＤ用の第２の半導体レーザＬＤ−ＣＤと、第１および第２の回折格子ＧＲＴ−ＤＶＤおよびＧＲＴ−ＣＤと、第１のビームスプリッタＢＳＷと、第２のビームスプリッタＰ−ＢＳＰと、第１および第２のコリメータレンズＣＬ−ＤＶＤおよびＣＬ−ＣＤと、立ち上げミラーＦＭと、対物レンズＯＬと、検出器ミラーＰＤＭと、センサーレンズＳＬと、受光素子（光検出器）ＰＤと、フォワードセンサーミラーＦＭＰＤＭと、フォワードセンサＦＭＰＤとを有している。これらの光学系部品は、図示しない光学ベースに保持されている。
【００３５】
ビームスプリッタＰ−ＢＳＰは、第１および第２のレーザ光それぞれについて、反射光と透過光とに所定の強度割合で分離するものであるが、本実施の形態においては特に、ビームスプリッタＰ−ＢＳＰは、ガラスまたは樹脂ガラス製の板状を呈しており、その一方の外側板面である第１の６０度面Ｓ１１と、第１の６０度面Ｓ１１の内側面である第２の６０度面Ｓ１２と、他方の外側板面である第３の６０度面Ｓ１３と、第３の６０度面Ｓ１３の内側面である第４の６０度面Ｓ１４とを備えている。第１および第２の６０度面Ｓ１１、Ｓ１２と第３および第４の６０度面Ｓ１３、Ｓ１４とは、相互に平行をなしている。ビームスプリッタＰ−ＢＳＰが板状を呈しており、従来のごとく比較的大型かつ高価であるキューブ型ではないため、本光ピックアップ装置は、小型かつ安価でる。
【００３６】
第１および第２の６０度面Ｓ１１、Ｓ１２は、入射光の一部を反射して残部を透過するための光学膜が形成されている。第１の６０度面Ｓ１１は、第１のレーザ光を、第１の反射光と第１の透過光とに所定の強度割合で分離するものであり、第２の６０度面Ｓ１２は、第２のレーザ光を、第２の反射光と第２の透過光とに所定の強度割合で分離するものである。
【００３７】
第１の６０度面Ｓ１１による第１の反射光と第１の透過光との強度割合は、第３の６０度面Ｓ１３による第２の透過光と第２の反射光との強度割合に等しい。具体的には、例えば、第１の６０度面Ｓ１１に入射したレーザ光（第１のレーザ光）の８０％を第１の反射光として反射する一方、第１のレーザ光の２０％を第１の透過光として透過するように構成されている。一方、第２の６０度面Ｓ１２に入射したレーザ光（第２のレーザ光）の８０％を第２の透過光として透過する一方、第２のレーザ光の２０％を第２の反射光として反射するように構成されている。
【００３８】
第３および第４の６０度面Ｓ１３、Ｓ１４は、いわばガラス材質が剥き出しであり、光学膜が形成されておらず、それぞれ入射光を所定の角度で屈折するのみのものである。
【００３９】
また、本光ピックアップ装置においては、第２のビームスプリッタＰ−ＢＳＰが偏光を利用しない構造であるため、広帯域１／４波長板は不要であり、備えていない。広帯域１／４波長板が無いことで、本光ピックアップ装置は、構成が簡素かつ小型である。
【００４０】
次に、本光ピックアップ装置の動作を説明する。
【００４１】
まず、ＤＶＤモードでは、第１の半導体レーザＬＤ−ＤＶＤから出射された１本のレーザ光は、第１の回折格子ＧＲＴ−ＤＶＤで３本のレーザ光に分離され、第１のコリメートレンズＣＬ−ＤＶＤで平行光にされて、第１のレーザ光として第２のビームスプリッタＰ−ＢＳＰの第１の６０度面Ｓ１１に入射され、ここで強度に関して全体の８０％が反射されて図中上方向へ進む。
【００４２】
第２のビームスプリッタＰ−ＢＳＰで反射されたレーザ光は、立ち上げミラーＦＭの反射面で反射されて鉛直上方（図中上方）に進み、対物レンズＯＬを介してＤＶＤである光ディスクＤｉｓｃの信号記録面に集光（照射）される。
【００４３】
フォワードセンサＦＭＰＤは、第１の回折格子ＧＲＴ−ＤＶＤ、および第１のコリメートレンズＣＬ−ＤＶＤを経て、、第１のレーザ光として第２のビームスプリッタＰ−ＢＳＰの第１の６０度面Ｓ１１に入射され、ここで強度に関して全体の２０％が透過し、第４の６０度面Ｓ１４を通した後に、フォワードセンサーミラーＦＭＰＤＭで反射したレーザ光の光量をモニタする。
【００４４】
光ディスクＤｉｓｃの信号記録面からの反射光（戻り光）は、対物レンズＯＬを通過し、立ち上げミラーＦＭの反射面で反射されて図中下方向へ進み、第２のビームスプリッタＰ−ＢＳＰの第１の６０度面Ｓ１１および第４の６０度面Ｓ１４を通して、第２のコリメートレンズＣＬ−ＣＤ、第１のビームスプリッタＢＳＷ、検出器ミラーＰＤＭ、およびセンサーレンズＳＬを通して光検出器ＰＤで検出され、電気信号に変換される。
【００４５】
一方、ＣＤモードでは、第２の半導体レーザＬＤ−ＣＤから出射された１本のレーザ光は、第２の回折格子ＧＲＴ−ＣＤで３本のレーザ光に分離され、第１のビームスプリッタＢＳＷで反射されて図中上方向へ進む。
【００４６】
第１のビームスプリッタＢＳＷは、入射したレーザ光を反射光と透過光とに一定割合で分離する。例えば、第１のビームスプリッタＢＳＷは、入射したレーザ光の８０％を透過し、２０％を反射する。
【００４７】
図中上方向へ進むレーザ光は、第２のコリメートレンズＣＬ−ＣＤで平行光にされて、第２のレーザ光として第２のビームスプリッタＰ−ＢＳＰの第２の６０度面Ｓ１２に入射され、ここで強度に関して全体の８０％が透過した後、立ち上げミラーＦＭの反射面で反射されて鉛直上方（図中上方）に進み、対物レンズＯＬを介してＣＤである光ディスクＤｉｓｃの信号記録面に集光（照射）される。
【００４８】
フォワードセンサＦＭＰＤは、第２の回折格子ＧＲＴ−ＣＤ、第１のビームスプリッタＢＳＷ、および第２のコリメートレンズＣＬ−ＣＤを経て、さらに第２のレーザ光として第２のビームスプリッタＰ−ＢＳＰの第３の６０度面Ｓ１３を通して第２の６０度面Ｓ１２に入射され、ここで強度に関して全体の２０％が反射されて第４の６０度面Ｓ１４を通して進んだ後に、フォワードセンサーミラーＦＭＰＤＭで反射したレーザ光の光量をモニタする。
【００４９】
光ディスクＤｉｓｃの信号記録面からの反射光（戻り光）は、対物レンズＯＬを通過し、立ち上げミラーＦＭの反射面で反射されて図中下方向へ進み、第２のビームスプリッタＰ−ＢＳＰの第１の６０度面Ｓ１１および第４の６０度面Ｓ１４を通して、第２のコリメートレンズＣＬ−ＣＤ、第１のビームスプリッタＢＳＷ、検出器ミラーＰＤＭ、およびセンサーレンズＳＬを通して光検出器ＰＤで検出され、電気信号に変換される。
【００５０】
尚、本実施の形態においては、第２のビームスプリッタの第１の６０度面で反射や透過させる第１のレーザ光がＤＶＤ用、第２のビームスプリッタの第２の６０度面で反射や透過させる第２のレーザ光がＣＤ用であったが、本発明においては、第１のレーザ光がＣＤ用、第２のレーザ光がＤＶＤ用であってもよい。また、ビームスプリッタによって分離する強度割合については、８０％と２０％とに限定されるものではない。
【００５１】
また、本実施の形態における第１〜第４の６０度面は、例えば対物レンズに向かう、もしくは、対物レンズからのレーザ光の光軸に対して６０度（３０度）に配置されているものであるが、本発明において、第１〜第４の面の角度は、６０度に限定されるものではなく、ビームスプリッタとしての機能をなすことができる、即ち、レーザ光を所望の角度に透過、反射、および屈折等できる角度であればよい。ただし、ビームスプリッタとしての機能をなすための面であることから、第１〜第４の面が、光軸に対して斜面であるべきであることは云うまでもない。
【００５２】
【発明の効果】
本発明による光ピックアップ装置は、比較的安価であって、かつ、小型化が可能である。
【図面の簡単な説明】
【図１】従来の光ピックアップ装置の要部を示す概念図である。
【図２】本発明の実施の形態による光ピックアップ装置を示す概念図である。
【符号の説明】
ＢＳＷ    第１のビームスプリッタ
Ｃ−ＢＳＰ、Ｐ−ＢＳＰ    第２のビームスプリッタ
ＣＬ−ＣＤ    第２のコリメートレンズ
ＣＬ−ＤＶＤ    第１のコリメートレンズ
Ｄｉｓｃ    光ディスク
ＦＭ    立ち上げミラー
ＦＭＰＤ    フォワードセンサ
ＦＭＰＤＭ    フォワードセンサミラー
ＧＲＴ−ＣＤ    第２の回折格子
ＧＲＴ−ＤＶＤ    第２の回折格子
ＬＤ−ＣＤ    第２の半導体レーザ
ＬＤ−ＤＶＤ    第１の半導体レーザ
ＯＬ    対物レンズ
ＰＤ    光検出器
ＱＷＰ    広帯域１／４波長板
ＳＬ    センサーレンズ
Ｓ１、Ｓ２    第１、第２の４５度面
Ｓ１１〜Ｓ１４    第１〜第４の６０度面
【図１】
2004310853.tif 000003
【図２】
2004310853.tif 000004